(57)【特許請求の範囲】
【請求項１】
電極及びリード（３０）を有する放電管（１４）と、キャップ（１６）、ケース（１８）、及び安定器装置を備えた取付板（２４）から組立てられた口金（１２）とから構成され、安定器装置を備えた取付板（２４）は口金ケース（１８）の内部に取付けられ、かつリード（３０）を取付板（２４）に電気的に接続するための端子（２６）を有し、リード（３０）は取付板（２４）の電気端子（２６）にそれぞれ導電性ばね要素（２８）を介して接続されるコンパクト形低圧放電ランプにおいて、
ばね要素（２８）は、ばね屈曲片（４８）と共に一部品から形成されたばね基体（５０）から構成され、
ばね基体（５０）が、キャップ（１６）に形成さればね要素（２８）を収容して取外し可能に固定するためのばね収容部（４０）内へ嵌込まれている
ことを特徴とするコンパクト形低圧放電ランプ。
【請求項２】
ばね収容部（４０）はキャップ（１６）の内周部に形成されていることを特徴とする請求項１記載の低圧放電ランプ。
【請求項３】
ばね収容部（４０）はばね要素（２８）の一部分を収容するための空所（４２）を有し、断面が矩形に形成されていることを特徴とする請求項１又は２記載の低圧放電ランプ。
【請求項４】
空所（４２）内にはリード（３０）の一端部（５６）を受止めるための肩部（４４）が形成されていることを特徴とする請求項３記載の低圧放電ランプ。
【請求項５】
肩部（４４）に対向位置する側に、空所（４２）を包囲する側壁（４３）はばね収容部（４０）の自由端部へ開口しリード（３０）を受入れるためのスリット（４６）を有することを特徴とする請求項３又は４記載の低圧放電ランプ。
【請求項６】
空所（４２）を包囲する側壁（４３）はばね収容部（４０）の自由端部へ向けて傾斜部（４５）を有することを特徴とする請求項５記載の低圧放電ランプ。
【請求項７】
キャップ（１６）はリード（３０）の端部（５６）を支持するための少なくとも１つの切欠（６０）を有し、この切欠（６０）はスリット（４６）の位置に平行にこのスリット（４６）と一列に配置されていることを特徴とする請求項１乃至６のいずれか１つに記載の低圧放電ランプ。
【請求項８】
ばね要素（２８）はばね鋼帯から構成されていることを特徴とする請求項１乃至７のいずれか１つに記載の低圧放電ランプ。
【請求項９】
ばね要素（２８）は銅又は良導電性金属合金から構成されていることを特徴とする請求項１乃至８のいずれか１つに記載の低圧放電ランプ。
【請求項１０】
ばね基体（５０）は少なくとも１つの鋸歯縁部を有することを特徴とする請求項１記載の低圧放電ランプ。
【請求項１１】
ばね基体（５０）は少なくとも１つの側部要素（５１）を有することを特徴とする請求項１又は１０記載の低圧放電ランプ。
【請求項１２】
ばね基体（５０）はばね屈曲片（４８）とは反対側の端部に外側へ漏斗状に広がるスリット（５２）を有することを特徴とする請求項１、１０、１１のいずれか１つに記載の低圧放電ランプ。
【請求項１３】
リード（３０）はばね要素（２８）ないしばね基体（５０）のスリット（５２）内へ導かれていることを特徴とする請求項１２記載の低圧放電ランプ。
【請求項１４】
ばね屈曲片（４８）はばね作用を生ぜしめるために複数回曲げられていることを特徴とする請求項１又は、１０乃至１３のいずれか１つに記載の低圧放電ランプ。
【請求項１５】
ばね屈曲片（４８）の長さは取付板（２４）の端子（２６）との確実な接触が保証されるように選定されていることを特徴とする請求項１又は、１０乃至１４のいずれか１つに記載の低圧放電ランプ。
【請求項１６】
口金（１２）はほぼ円筒状に形成されていることを特徴とする請求項１乃至１５のいずれか１つに記載の低圧放電ランプ。
【請求項１７】
取付板（２４）はランプ長手軸線に垂直にケース（１８）の内部に固定されていることを特徴とする請求項１乃至１６の１つに記載の低圧放電ランプ。
【請求項１８】
ケース（１８）の内周部にはランプ長手軸線に平行に延びるリブ（５８）が形成され、このリブ（５８）の端部に取付板（２４）が載せられていることを特徴とする請求項１乃至１７のいずれか１つに記載の低圧放電ランプ。
【請求項１９】
取付板（２４）はプリント板として形成され、放電管（１４）側の面には導体路が形成され、放電管（１４）とは反対側の面には安定器装置の回路素子が形成されていることを特徴とする請求項１乃至１８のいずれか１つに記載の低圧放電ランプ。
【請求項２０】
リード（３０）を取付板（２４）に電気的に接続するための少なくとも１つの端子（２６）はランドとして形成されていることを特徴とする請求項１乃至１９のいずれか１つに記載の低圧放電ランプ。
【請求項２１】
リード（３０）を取付板（２４）に電気的に接続するための少なくとも１つの端子（２６）は１つ又は複数の平坦なろう付け面及び／又はろう付け条帯から構成されていることを特徴とする請求項１乃至２０のいずれか１つに記載の低圧放電ランプ。
【発明の詳細な説明】
【０００１】
【発明の属する技術分野】
本発明は、電極及びリードを有する放電管と、キャップ、ケース、及び安定器装置を備えた取付板から組立てられた口金とから構成され、安定器装置を備えた取付板が口金ケースの内部に取付けられ、かつリードを取付板に電気的に接続するための端子有有し、リードが取付板の電気端子にそれぞれ導電性ばね要素を介して接続されるコンパクト形低圧放電ランプに関する。
【０００２】
【従来の技術】
住宅及び住居領域においては白熱ランプの代わりに低圧放電ランプが益々使用されている。この公知の低圧放電ランプにおいて、放電管は１回又は複数回曲げられ口金に取付けられた管から大抵構成されている。口金内には回路基板として形成され電子安定器装置をその上にろう付けした取付板が組込まれている。このコンパクト形低圧放電ランプの製造コストは、製造時に多くの複雑な製造ステップを必要とするので比較的高い。この製造ステップの１つには放電管のリードを安定器装置の対応する端子に電気的に接続するステップがある。この接続を行うために従来では対応する接続ワイヤが集められ、例えば金属シェルによってクリンプされていた。
【０００３】
この簡単な接続の発展例がヨーロッパ特許出願公開第０４５２７４３号明細書に記載されている。この刊行物には、保持短軸を有し、この保持短軸によってリードの端部が安定器装置の弓形金具状端子ワイヤに垂直に向けられるような冒頭で述べた種類の低圧放電ランプが記載されている。口金ケース及び取付板に口金キャップを取付ける際、それぞれ接触するべきワイヤはほぼ直角に前後に配置され、保持短軸と口金ケースの内壁とによって弾力的に互いに押し合い、それにより放電管の電極と安定器装置とが電気的に接続される。
【０００４】
しかしながら、この従来技術の欠点はこの種の電気的接続方式が非常に費用のかかる点である。これによって製造コストが高くなる。その他に、素子間の確実な接触を保証するために、この種の低圧放電ランプの製造速度は非常に遅い。
【０００５】
【発明が解決しようとする課題】
そこで本発明の課題は、放電管のリードと安定器装置の対応する端子との電気的接続のために必要な構成を、最適の接触確実性を保証すると共に、簡単、迅速及びコスト的に有利に製作することができるような冒頭で述べた種類のコンパクト形低圧放電ランプを提供することにある。
【０００６】
【課題を解決するための手段】
この課題は本発明によれば、ばね要素は、ばね屈曲片と共に一部品から形成されたばね基体から構成され、このばね基体が、キャップに形成さればね要素を収容して取外し可能に固定するためのばね収容部内へ嵌込まれていることによって解決される。
【０００７】
本発明の有利な実施態様は次の通りである。
・キャップはばね要素を収容して取外し可能に固定するための少なくとも１つのばね収容部を有する。
・ばね収容部はキャップの内周部に形成されている。
・ばね収容部はばね要素の一部分を収容するための空所を有し、断面が矩形に形成されている。空所内にはリードの一端部を受止めるための肩部が形成されている。肩部に対向位置する側に、空所を包囲する側壁はばね収容部の自由端部へ開口しリードを受入れるためのスリットを有する。空所を包囲する側壁はばね収容部の自由端部へ向けて傾斜部を有する。
・キャップはリードの端部を支持するための少なくとも１つの切欠を有し、この切欠はスリットの位置に平行にこのスリットと一列に配置されている。
・ばね要素はばね鋼帯から構成されている。
・ばね要素は銅又は良導電性金属合金から構成されている。
・ばね要素はばね屈曲片と共に一部品から形成されたばね基体）から構成され、ばね基体がばね収容部内へ嵌込まれている。
・ばね基体は少なくとも１つの鋸歯縁部を有する。
・ばね基体は少なくとも１つの側部要素を有する。
・ばね基体はばね屈曲片とは反対側の端部に外側へ漏斗状に広がるスリットを有する。リードはばね要素ないしばね基体のスリット内へ導かれている。ばね屈曲片はばね作用を生ぜしめるために複数回曲げられている。ばね屈曲片の長さは取付板の端子との確実な接触が保証されるように選定されている。
・口金はほぼ円筒状に形成されている。
・キャップとケースとは分離可能に相互に結合され、キャップとケースとの位置正しい結合を行うための少なくとも１つの位置決め装置が形成されている。
・取付板はランプ長手軸線に垂直にケースの内部に固定されている。
・ケースの内周部にはランプ長手軸線に平行に延びるリブが形成され、このリブの端部に取付板が載せられている。
・取付板はプリント板として形成され、放電管側の面には導体路が形成され、放電管とは反対側の面には安定器装置の回路素子が形成されている。
・リードを取付板に電気的に接続するための少なくとも１つの端子はランドとして形成されている。
・リードを取付板に電気的に接続するための少なくとも１つの端子は１つ又は複数の平坦なろう付け面及び／又はろう付け条帯から構成されている。
・リードとばね要素とは一部品から形成されている。
・ばね要素と取付板の端子とは一部品から形成されている。
【０００８】
本発明によるコンパクト形低圧放電ランプにおいて、放電管のリードは安定器装置を備えた取付板の電気端子にそれぞれ導電性ばね要素を介して接続される。一方ではそれぞれリードに当接しかつ他方では取付板の対応する電気端子に当接するばね要素を使用することによって、確実な電気的接続が保証される。口金ケース及び取付板に口金キャップを取付けると、それぞれのばね要素が有効ばね圧でリードと取付板の電気端子とを押す。従って、本発明によれば放電管のリードと取付板つまり安定器装置の対応する電気端子との接続のために１つの要素しか必要とされないので有利である。これによって製造コストが明らかに減少する。その他に、低圧放電ランプの口金を組立てる際口金ケースと口金キャップとを重ねて押すか又は螺子込むだけでよいので、製造速度が明らかに向上する。
【０００９】
口金を組立てる前に、ばね要素は本発明によればキャップの内周部に形成されたばね収容部内に収容される。このばね収容部はこのためにばね要素の少なくとも一部分を収容するための空所を有し、通常断面が矩形に形成されている。これによってばね要素はランプへの最終取付けに関係なく取付けることができ、このことによって製造方法が簡単になり、それゆえ製造コストが低減する。
【００１０】
本発明による低圧放電ランプの他の有利な構成においては、ばね収容部の空所内にはリードの一端部を受止めるための肩部が形成される。この肩部に対向位置する側に、空所を包囲する側壁はばね収容部の自由端部へ開口しリードを受入れるスリットを有する。本発明によればこのような構成によってもランプの製造プロセスを簡単にすることができる。しかして、口金キャップを口金ケースに最終的に取付ける前に、放電管のリードのそれぞれの端部はばね収容部の側壁の開口スリット上に置かれる。このスリットはキャップの周囲の切欠と平行にこの切欠と一列に配置されており、その結果リードは最初のステップにおいてキャップの切欠内に位置するようになる。今ばね要素がリードの端部上に置かれると、ばね要素はリードの端部をばね収容部の空所内へ押し、それによりリードは空所内に形成された肩部上及びばね収容部のスリット内に位置するようになる。ばね要素の他端部は取付板により保持されているので、ばね要素と、一方ではリードとの、他方では取付板上の対応する電気端子との確実な電気的接続が保証される。
【００１１】
本発明による低圧放電ランプの他の有利な構成においては、ばね基体とこのばね基体と共に一部品から形成されたばね屈曲片とから構成されたばね要素は、ばね基体のばね屈曲片とは反対側の端部に外側へ漏斗状に広がるスリットを有する。ばね基体はキャップのばね収容部の空所内へ嵌込むことができるように形成されている。ばね基体のこの有利な構成によってばね基体とリードとの確実な接触が保証される。ばね基体の漏斗状スリットは締付け接触又はナイフエッジ接触として作用する。
【００１２】
本発明による低圧放電ランプの他の有利な構成においては、ばね基体は少なくとも１つの鋸歯縁部又は側部要素を有する。ばね収容部の空所内へ嵌込まれる鋸歯縁部又は補助的な側部要素によって、キャップ内でのばね要素の確実な位置決め及び固定が保証される。ばね基体に対向位置するばね屈曲片がばね作用を生ぜしめるために複数回曲げられると有利である。このばね屈曲片の長さは取付板の端子との確実な接触が保証されるように選定される。
【００１３】
ばね要素は通常ばね鋼帯又は良導電性合金から構成される。ばね要素に補助的に錫メッキを施すことによってさらに取付板の端子との確実な電気的接続が達成される。
【００１４】
本発明による低圧放電ランプの他の有利な構成においては、リードとばね要素、又はばね要素と取付板の端子は一部品から形成される。この場合電気的接続部を形成する部品の個数が減少するので、製造プロセスのより一層の簡単化が可能になる。
【００１５】
本発明による低圧放電ランプの他の有利な構成によれば、取付板はランプ長手軸線に垂直にケースの内部に固定される。その場合、取付板はケースの内周部に形成されランプ長手軸線に平行に延びるリブ上に載せられる。取付板がプリント板として形成されて、放電管側の面には導体路が形成され、放電管とは反対側の面には安定器装置の回路素子が形成されると有利である。その場合、リードを取付板に電気的に接続するための少なくとも１つの端子はランドとして形成される。他の有利な構成において、リードを取付板に電気的に接続するための少なくとも１つの端子は１つ又は複数の平坦なろう付け面及び／又はろう付け条帯から構成される。ランプの口金のこのように簡単かつ省スペースな構成によって、この口金は全体的に小さくすることができ、しかもコスト的に有利に製造することができることが保証される。
【００１６】
口金のキャップとケースとの位置正しい位置決めのために位置決め装置が形成されると有利である。
【００１７】
【実施例】
次に本発明の実施例を図面に基づいて詳細に説明する。
【００１８】
図１には本発明によるコンパクト形低圧放電ランプ１０を一部断面で示した側面図が示されている。このランプ１０は放電管１４と口金１２とを含み、口金１２はキャップ１６とケース１８とから構成されている。口金１２はほぼ円筒状に形成されている。キャップ１６とケース１８とは分離可能に相互に結合され、キャップ１６とケース１８との位置正しい結合を行うための少なくとも１つの位置決め装置６２が形成されている。キャップ１６はケース１８側端部の外周部に環状隆起部２０を有している。この隆起部２０はケース１８の内周部に形成された対応する環状溝２２内に嵌入する。ケース１８の内側縁部をキャップ１６の外側縁部上にスナップ結合させることによって、ケース１８とキャップ１６とが確実に結合される。
【００１９】
ほぼ円筒状に形成されたケース１８の内部には取付板２４がランプ長手軸線に垂直に固定されている。この取付板２４はプリント板として形成されており、放電管１４側の面には導体路が形成され、放電管１４とは反対側の面には安定器装置（図示されていない）の回路素子が形成されている。ケース１８の内周部にはランプ長手軸線に平行に延びるリブ５８が形成されており、このリブ５８の端部に取付板２４が載せられている。
【００２０】
放電管１４は通常のように連結管によって相互に接続（図示されていない）された２個又は３個のＵ状に曲げられた部分管から形成され、末端脚がそれぞれ電極を有している。部分管３８の自由端部は挟搾部３６によって気密に閉鎖され、口金１２のキャップ１６内に固定されている。挟搾部３６の領域では放電管１４からリード３０が導出されている。このリード３０はそれぞれ導電性ばね要素２８を介して取付板２４の電気端子２６に接続される。ばね要素２８はキャップ１６の内周部に形成されたばね収容部４０内に嵌込まれており、図示された実施例では取外し可能にそのばね収容部４０内に固定されている。このばね収容部４０は空所４２を包囲する側壁４３から構成されている。空所４２はばね要素２８の一部分を収容するのに使われ、断面が矩形に形成されている。
【００２１】
空所４２内にはリード３０の一端部５６を受止める肩部４４が形成されている。空所４２の肩部４４に対向位置する側に、側壁４３はばね収容部４０の自由端部へ開口しリード３０を受入れるためのスリット４６を有している。さらに、空所４２を包囲する側壁４３はばね収容部４０の自由端部へ向けて傾斜部４５を有している。この傾斜部４５はばね要素２８の導入を容易にする。さらに、キャップ１６はリード３０の端部５６を支持するための少なくとも１つの切欠６０を有している。この切欠６０はスリット４６の位置に平行にこのスリット４６と一列に配置されている。ランプ１０を組立てる際つまり口金１２を組立てる際、リード３０の端部５６はキャップ１６の切欠６０内に置かれ、それによって位置正しく向けられる。ばね収容部４０内へばね要素２８を導入すると、リード３０は肩部４４もしくはスリット４６の端部に当接するまで空所４２内へ押付けられる。ばね要素２８は漏斗状に拡大されたスリット５２を有し、このスリット５２内にリード３０が導入される。ばね要素２８の構造に関する詳細は図４（Ａ）、４（Ｂ）および図５（Ａ）、５（Ｂ）から明らかになる。
【００２２】
取付板２４は放電管１４側の面にリード３０を安定器装置に電気的に接続するための端子２６を有している。これらの端子２６はランドとして、又は取付板２４内へ集積されるか又は取付板２４上に載せられた平らなろう付け面及び／又はろう付け条帯として形成することができる。
【００２３】
図２は口金１２の縁部領域の一部分の平面図を示す。ケース１８の自由端部がキャップ１６の自由端部に結合されていることが示されている。キャップ１６の内周部にばね収容部４０が形成されている。側壁４３が空所４２を包囲しており、この空所４２内にはキャップ１６の外周部側に肩部４４が形成されている。ばね収容部４０は断面がほぼ矩形に形成されている。空所４２はこの実施例では平面図でＵ状の形状を有している。さらに、側壁４３の傾斜部４５が示されている。スリット４６と切欠６０とは軸線を同じにして平行に位置していることが示されている。
【００２４】
図３（Ａ）乃至３（Ｃ）には取付板２４とリード３０との間の電気的接続の工程が示されている。図３（Ａ）はリード３０の端部５６がキャップ１６の縁部の切欠６０内に横たわっていることを示している。リード３０をばね要素２８が押し、その場合リード３０はばね要素２８のスリット５２内に導かれている。スリット５２の端部は参照符号５４を付されている。
【００２５】
図３（Ｂ）はばね収容部４０内に完全に導入されたばね要素２８を有するキャップ１６を示す。リード３０の自由端部５６がキャップ１６の内面に当接し、肩部４４で受止められていることが示されている。ガラス球３４へ向かってリード３０は側壁４３のスリット４６内に当接している。それによってリード３０の正確なガイドが保証される。ばね要素２８のスリット５２を漏斗状に形成することによって、ばね要素２８はリード３０に優しく接触する。
【００２６】
図３（Ｃ）はキャップ１６を取付板２４と共に示す。電気端子２６がばね要素２８のばね端部に当接していることが示されている。この場合、取付板２４はばね要素２８のばね作用によって押され、これによって電気端子２６とばね要素２８との確実な接触が保証される。それにより全体として、キャップ１６内に取外し可能に固定されたばね要素２８によって、リード３０及びこのリード３０に接続された放電管１４の電極と、安定器装置を担持する取付板２４の電気端子２６との間の確実な電気的接続が保証される。
【００２７】
図４（Ａ）及び４（Ｂ）はばね要素２８の構成を示す概略図である。図４（Ａ）にはばね要素２８の正面図が示されている。ばね要素２８はばね屈曲片４８と共に一部品で形成されたばね基体５０から構成されていることが示されている。このばね基体５０はばね収容部４０（前述の図参照）内へ嵌込まれる。ばね基体５０はばね収容部４０の空所４２内への確実な固定を保証する鋸歯縁部（図示されていない）を有することができる。図示された実施例において、ばね基体５０は２つの側部要素５１を有している。これらの側部要素５１はばね収容部４０の空所４２内へぴったり差込むことができる。ばね基体５０はさらにばね屈曲片４８とは反対側に位置する端部に外側へ漏斗状に広がるスリット５２を有している。このスリット５２内へリード３０が導かれ、リード３０は締付け又はナイフエッジ作用３２によってスリット５２内に保持される。ばね屈曲片４８はばね作用を生じさせるために多数回曲げられている。ばね屈曲片４８の長さは取付板２４の端子２６との確実な接触が保証されるように選定される。
【００２８】
ばね要素２８はばね鋼帯、銅又は良導電性合金から構成されている。さらに、ばね要素は少なくとも一部分に錫メッキをすることができる。
【００２９】
図４（Ｂ）はばね要素２８の概略側面図を示す。ばね基体５０の側部要素５１の形状及びばね屈曲片４８の形状がはっきり示されている。
【００３０】
図５（Ａ）及び５（Ｂ）にはばね要素２８の他の実施例の概略正面部及び側面図が示されている。この図５（Ａ）、５（Ｂ）に示された実施例は図４（Ａ）、４（Ｂ）に示された実施例とはばね屈曲片４８の形状が異なっている。ばね行程は図４（Ａ）、４（Ｂ）に示された実施例に比べて明らかに長い。
【００３１】
図示されていない２つの他の実施例においては、リード３０とばね要素２８、又はばね要素２８と取付板２４の端子２６は一部品から形成されている。
【図面の簡単な説明】
【図１】  本発明による低圧放電ランプを一部断面で示した概略側面図。
【図２】  本発明による低圧放電ランプの口金の縁部領域の一部分の概略平面図。
【図３】  本発明による低圧放電ランプのキャップの縁部領域の概略断面図を示し、（Ａ）は取付板とリードとの電気的接続の１つの工程を示す概略断面図、（Ｂ）は取付板とリードとの電気的接続の別の工程を示す概略断面図、（Ｃ）は取付板とリードとの電気的接続のさらに別の工程を示す概略断面図。
【図４】  本発明による低圧放電ランプのばね要素の概略図を示し、（Ａ）はその概略正面図、（Ｂ）はその概略側面図。
【図５】  本発明による低圧放電ランプのばね要素の他の実施例の概略図を示し、（Ａ）はその概略正面図、（Ｂ）はその概略側面図。
【符号の説明】
１０  コンパクト形低圧放電ランプ
１２  口金
１４  放電管
１６  キャップ
１８  ケース
２０  隆起部
２２  環状溝
２４  取付板
２６  電気端子
２８  ばね要素
３０  リード
３２  締付け又はナイフエッジ作用
３４  ガラス球
３６  挟搾部
３８  部分管
４０  ばね収容部
４２  空所
４３  側壁
４４  肩部
４５  傾斜部
４６  スリット
４８  ばね屈曲片
５０  ばね基体
５１  側部要素
５２  スリット
５４  スリットの端部
５６  リードの端部
５８  リブ
６０  切欠
６２  位置決め装置
【図１】
0004050372.tif 000002
【図２】
0004050372.tif 000003
【図３】
0004050372.tif 000004
【図４】
0004050372.tif 000005
【図５】
0004050372.tif 000006